(57)【要約】【課題】簡易にしてしかも介護者の負担、とりわけ移乗の際の負担を軽減できる介護方法および介護ロボットを提供する。【解決手段】本発明は、両端部にロボットＲの腕５ｂに保持される被保持部３１が形成されたシート３０をベッドの上に敷き、シート３０に要介護者を寝かせ、ロボットＲおよび腕５ｂを要介護者に対して位置決めし、ロボットＲをベッドに向けて前進させて腕５ｂにより被保持部３１を保持し、腕５ｂを所定量上昇させ、その状態でロボットＲをベッドから後退させるものである。【選択図】図１
2014061035.tif 000002
【特許請求の範囲】
【請求項１】
ベッドの上に両端部にロボットの腕に保持される被保持部が形成されたシートを敷く手順と、
前記シートに要介護者を寝かせる手順と、
ロボットおよびロボットの腕を前記要介護者に対して位置決めする手順と、
前記ロボットを前記ベッドに向けて前進させて前記腕により前記被保持部を保持する手順と、
前記腕を所定量上昇させる手順と、
前記腕を所定量上昇させた状態で前記ロボットを前記ベッドから後退させる手順
とを含むことを特徴とする介護方法。
【請求項２】
要介護者の頭部側の被保持部の高さを足元側の被保持部の高さよりも高くする手順が付加されていることを特徴とする請求項１記載の介護方法。
【請求項３】
走行可能とされた基部と、前記基部に配設された第１および第２昇降軸と、Ｕ字状部材とを備え、
前記第１昇降軸は、前記Ｕ字状部材の底部を回動可能かつスライド不自在に保持する回動部材を有し、
前記第２昇降軸は、前記Ｕ字状部材の底部を回動可能かつスライド自在に保持する回動部材を有し、
前記底部が、前記第１昇降軸の回動部材に回動可能かつスライド不自在に保持され、かつ、前記第２昇降軸の回動部材に回動可能かつスライド自在に保持されてなる
ことを特徴とする介護ロボット。
【請求項４】
第１昇降軸に電力を供給する第１電源と、第２昇降軸に電力を供給する第２電源とが基部に配設されてなることを特徴する請求項３記載の介護ロボット。
【請求項５】
第１昇降軸と第２昇降軸との昇降を操作する操作盤が基部に配設されてなることを特徴する請求項３または４記載の介護ロボット。  
【請求項６】
操作盤が第１昇降軸と第２昇降軸との中間部の後ろに配設されてなることを特徴する請求項５記載の介護ロボット。
【発明の詳細な説明】
【技術分野】
【０００１】
本発明は、介護方法およびそれに用いる介護ロボットに関する。さらに詳しくは、介護者および要介護者の負担を軽減できる介護方法およびそれに用いる介護ロボットに関する。
【背景技術】
【０００２】
従来より、介護ヘルパーなどの介護者による高齢者や傷害者(以下、要介護者という)の生活を支援がなされている。要介護者の介護ヘルパーなどの介護者による生活支援においては、要介護者のトイレ介助や入浴介助の際に、ベッドから車椅子への移乗、あるいは車椅子からベッドへの移乗がなされている。
【０００３】
しかるに、かかる移乗は、通常、一人の介護ヘルパーなどの介護者によりなされているところから、介護ヘルパーなどの介護者に多大の負担を強いる結果となっている。そのため、介護ヘルパーなどの介護者には、腰を痛める者が多数に上っている。腰痛は、介護ヘルパーなどの介護者の職業病とまでいわれるようになってきている。
【０００４】
このため、介護関係者から介護ヘルパーなどの介護者の負担、とりわけ移乗の際の負担を軽減できる介護方法および介護ロボットが熱望されている。
【０００５】
なお、特許文献１には、介護用キャリアの提案がなされているが、構成が複雑であるため、操作性に難点があるという問題がある。
【先行技術文献】
【特許文献】
【０００６】
【特許文献１】特開２００２−１３６５４９号公報
【発明の開示】
【発明が解決しようとする課題】
【０００７】
本発明はかかる従来技術の課題に鑑みなされたものであって、簡易にしてしかも介護ヘルパーなどの介護者の負担、とりわけ移乗の際の負担を軽減できる介護方法および介護ロボットを提供することを目的としている。
【課題を解決するための手段】
【０００８】
本発明の介護方法は、ベッドの上に両端部にロボットの腕に保持される被保持部が形成されたシートを敷く手順と、前記シートに要介護者を寝かせる手順と、ロボットおよびロボットの腕を前記要介護者に対して位置決めする手順と、  前記ロボットを前記ベッドに向けて前進させて前記腕により前記被保持部を保持する手順と、前記腕を所定量上昇させる手順と、前記腕を所定量上昇させた状態で前記ロボットを前記ベッドから後退させる手順とを含むことを特徴とする。
【０００９】
本発明の介護方法においては、要介護者の頭部側の被保持部の高さを足元側の被保持部の高さよりも高くする手順が付加されているのが好ましい。
【００１０】
本発明の介護ロボットは、走行可能とされた基部と、前記基部に配設された第１および第２昇降軸と、Ｕ字状部材とを備え、前記第１昇降軸は、前記Ｕ字状部材の底部を回動可能かつスライド不自在に保持する回動部材を有し、前記第２昇降軸は、前記Ｕ字状部材の底部を回動可能かつスライド自在に保持する回動部材を有し、前記底部が、前記第１昇降軸の回動部材に回動可能かつスライド不自在に保持され、かつ、前記第２昇降軸の回動部材に回動可能かつスライド自在に保持されてなることを特徴とする。
【００１１】
本発明の介護ロボットにおいては、第１昇降軸に電力を供給する第１電源と、第２昇降軸に電力を供給する第２電源とが基部に配設されてなるのが好ましい。
【００１２】
また、本発明の介護ロボットにおいては、第１昇降軸と第２昇降軸との昇降を操作する操作盤が基部に配設されてなるのが好ましい。その場合、操作盤が第１昇降軸と第２昇降軸との中間部の後ろに配設されてなるのがさらに好ましい。
【発明の効果】
【００１３】
本発明は前記の如く構成されているので、要介護者をベッドから車椅子などへの移乗の際に、介護者が要介護者をベッドから持ち上げる必用がなくなるため、介護者の負担が軽減されるという優れた効果を奏する。
【図面の簡単な説明】
【００１４】
【図１】本発明の介護方法による介護の手順を示す概略図である。
【図２】本発明の介護ロボットの斜視図である。
【図３】同ロボットのブロック図である。
【図４】同ロボットの概略図である。
【図５】Ｕ字状部材の保持部の一例の概略図であって、同(ａ)は固定部を示し、同(ｂ)はスライド部を示す。
【図６】操作盤のブロック図である。
【図７】専用シートの二面図である。
【図８】専用シートの被保持部の変形例の概略断面図である。
【発明を実施するための形態】
【００１５】
以下、添付図面を参照しながら本発明を実施形態に基づいて説明するが、本発明はかかる実施形態のみに限定されるものではない。
【００１６】
概要
本発明の介護方法は、介護ロボットにより概略次のような手順によりベッドに寝ている要介護者の車椅子などへの移乗を支援するものである。つまり、車椅子などへの移乗を移乗支援ロボット(介護ロボット)によりなすものである。なお、以下の操作は介護者によりなされるものとされる。
【００１７】
手順１：ベッドに寝ている要介護者を当該ベッドの上で移乗支援ロボット(以下、単にロボットという)の進入側と反対方向に体位変換をさせ、つまり体全体を半分起こした状態としてベッドの端付近に専用シートを敷く(図１（ａ）参照)。
【００１８】
手順２：要介護者の体位を元に戻して要介護者を専用シートに寝かせた後、
ロボットを前進させてベッドに進入させ、そのアーム(腕)で専用シートを保持する(図１（ｂ）参照)。
【００１９】
手順３：専用シートを持ち上げる。つまり、要介護者をベッドから浮かせる (図１  （ｃ）参照)。
【００２０】
手順４：ロボットを後退させて要介護者をベッド脇に移動させる(図１（ｄ）参照)。
【００２１】
しかして、このようにすることにより、要介護者をベッドから車椅子などへ移乗する際における介護ヘルパーなどの介護者の負担が軽減される。
【００２２】
以下、図を参照しながら、ロボットの構成について説明する。
【００２３】
ロボットＲは、図２〜図５に示すように、前後方向に走行自在とされた基部Ｂと、基部Ｂに立設された第１昇降軸１と、基部Ｂに第１昇降軸１に一定の間隔を設けて立設された第２昇降軸２と、第１昇降軸１の上端部に装着された主回動部材３と、第２昇降軸２の上端部に装着された従回動部材４と、主回動部材３にスライド不自在に装着され、かつ従回動部材４にスライド自在に装着されたＵ字状部材５と、駆動用電源６と、操作盤１０とを主要構成要素として備えてなるものとされる。
【００２４】
基部Ｂは、図２および図４に示すように、両端部に走行部材２０が平行に装着され、同走行部材２０により前後方向に走行可能とされている。走行部材２０は、両端部にキャップが装着されたパイプ２１の両端部に走行車輪２２が装着されてなるものとされる。
【００２５】
なお、走行車輪２２はパイプ２１に旋回自在に装置されてもよい。そうすることにより、ロボットＲは前後のみならず左右にも走行可能とされる。
【００２６】
第１昇降軸１および第２昇降軸２は、例えば電動シリンダーからなるものとされる。
【００２７】
Ｕ字状部材５は、底部５ａと底部５ａから突出させられている腕５ｂとを含むものとされ、底部５ａは主回動部材３および従回動部材４に前述したよう保持されている。また、両腕５ｂ，５ｂの間隔は、専用シート３０の端部に設けられている被保持部３１(図７参照)の間隔と一致させられている。
【００２８】
図５に、固定部およびスライド部の一例を示す。固定部においては、底部５ａは図５（ａ）に示すように、第１昇降軸１の上端部に装着された主回動部材３の把持部３ａにより把持されてスライド不自在とされる。一方、スライド部においては、底部５ａは図５（ｂ）に示すように、第２昇降軸２の上端部に装着された従回動部材４のスライド部４ａに挿通させてスライド自在とされる。なお、図中、符号４ｂはローラーベアリングを示す。
【００２９】
駆動用電源６は、例えばバッテリーとされ、これによりロボットＲをいわゆるコードレスとすることができる。また、駆動用電源６は、第１昇降軸１を駆動する第１駆動用電源６Ａと、第２昇降軸２を駆動する第２駆動用電源６Ｂとを含むものとされ、第１昇降軸１と第１駆動用電源６Ａとは電気的に接続され、第２昇降軸２と第２駆動用電源６Ｂとは電気的に接続されている。
【００３０】
操作盤１０は、図６に示すように、第１駆動用電源６Ａをオンオフする第１駆動用電源スイッチ１１と、第２駆動用電源６Ｂをオンオフする第２駆動用電源スイッチ１２と、第１昇降軸１を上昇させる第１上昇用ボタン１３と、第１昇降軸１を下降させる第１下降用ボタン１４と、第２昇降軸２を上昇させる第２上昇用ボタン１５と、第２昇降軸２を下降させる第２下降用ボタン１６とを有するものとされる。操作盤１０は、例えば、第１昇降軸１と第２昇降軸２との中間部の後ろに配設される。
【００３１】
図７に、専用シート３０の一例を示す。
【００３２】
専用シート３０は、図７に示すように、両端にロボットＲの腕５ｂが挿入される円筒状の被保持部３１を有するものとされる。
【００３３】
被保持部３１は、基材３２と基材３２の外側に配設されたクッション性を有する素材からなるクッション層３３と、合成樹脂シートからなる表層３４とからなるものとされる。
【００３４】
次に、かかる構成とされたロボットＲによる要介護者の移乗について説明する。
【００３５】
手順１１：ロボットＲを適宜移動させ、Ｕ字状部材５の両腕５ｂ，５ｂを専用シート３０の両端部に設けられた被保持部３１の位置に位置合わせする。この場合、第１昇降軸１が要介護者の頭に近くなるようロボットＲの位置合わせをする。
【００３６】
手順１２：操作盤１０のボタンを適宜押下してＵ字状部材５の両腕５ｂ，５ｂの高さを、要介護者が寝かさせている専用シート３０の両端部に設けられた被保持部３１，３１の高さに合わせる。
【００３７】
手順１３：ロボットＲを前進させてＵ字状部材５の両腕５ｂ，５ｂをそれぞれ専用シート３０の両端部に設けられた被保持部３１，３１に挿入する。
【００３８】
手順１４：第１上昇用ボタン１３および第２上昇用ボタン１５を押下してＵ字状部材５の両腕５ｂ，５ｂをベッドから所定の高さとする。
【００３９】
手順１５：ロボットＲを後退させてロボットをベッドから離す。つまり、要介護者をベッド脇に移動させる。
【００４０】
手順１６：介護者を要介護者の足元側に位置させた状態で、第１上昇用ボタン１３を適宜押下して要介護者の頭を高くするとともに、要介護者を介護者に預ける。
【００４１】
手順１７：介護者は要介護者を、例えば車椅子に移乗させる。
【００４２】
このように、本実施形態のロボットＲによれば、介護者が要介護者をベッドから持ち上げる必用がなくなり、介護者の負担が軽減される。例えば、介護者の職業病と称される腰痛の解消が図られる。
【００４３】
以上、本発明を実施形態に基づいて説明してきたが、本発明はかかる実施形態のみに限定されるものではなく、種々改変が可能である。
【００４４】
例えば、図８に示すように、専用シート３０の被保持部３１のロボットＲの腕５ｂが挿入される側にラッパ状の案内部３２ａを形成するようにされてもよい。
【００４５】
また、本実施形態では、電力はロボットが保持するバッテリーによりなされるようにされているが、コードにより商用電源から電力が供給されるようにされてもよい。
【産業上の利用可能性】
【００４６】
本発明は、介護産業に適用できる。
【符号の説明】
【００４７】
Ｂ      基部
Ｒ      ロボット
１      第１昇降軸
２      第２昇降軸
３      主回動部材
３ａ    把持部
４      従回動部材
４ａ    スライド部
４ｂ    ローラーベアリング
５      Ｕ字状部材
５ａ    底部
５ｂ    腕
６      電源
１０      操作盤
１１      第１駆動用電源スイッチ
１２      第２駆動用電源スイッチ
１３      第１上昇用ボタン
１４      第１下降用ボタン
１５      第２上昇用ボタン
１６      第２下降用ボタン
２０      走行部材
２１      パイプ
２２      走行車輪
３０      専用シート
３１      被保持部
３２      基材
３２ａ    案内部
３３      クッション層
３４      表層
【図１】
2014061035.tif 000003
【図２】
2014061035.tif 000004
【図３】
2014061035.tif 000005
【図４】
2014061035.tif 000006
【図５】
2014061035.tif 000007
【図６】
2014061035.tif 000008
【図７】
2014061035.tif 000009
【図８】
2014061035.tif 000010